(57)【特許請求の範囲】
【請求項１】
予め設定されたトリビュタリ順序に従って、各トリビュタリ毎に設定された識別コードと各トリビュタリに共通のフレーム識別情報とが付加された各トリビュタリ信号を多重化し、この多重化した信号を送信装置側から受信装置側に送信し、受信装置側が、前記多重化された信号を多重分離し、分配手段が該多重分離した各トリビュタリ信号を分配して各トリビュタリに転送し、各トリビュタリが、コード識別手段によって、入力されたトリビュタリ信号から識別コードを抽出し、該識別コードと自トリビュタリの識別コードとの位相差を検出し、前記分配手段が該位相差をもとに各トリビュタリ信号がそれぞれ対応するトリビュタリに転送されるように切替制御し、前記送信装置の各トリビュタリが送信する各トリビュタリ信号を前記受信装置内の対応する各トリビュタリに伝送するトリビュタリ信号伝送システムにおいて、
各前記コード識別手段は、
入力されたトリビュタリ信号内のフレーム識別情報をもとにフレーム周期をカウントしてフレーム位相を識別するフレーム識別手段を有し、該フレーム位相をもとに、入力されたトリビュタリ信号の識別コードを抽出するコード抽出手段と、
抽出した識別コードと自トリビュタリの識別コードとの位相差を認識し、該位相差を位相差情報として前記分配手段に出力する位相差識別手段と、
を備え、
前記分配手段は、
各トリビュタリ信号の現分配状態と各トリビュタリに対応する各トリビュタリ信号の正規分配状態との位相差を前記位相差識別手段からの前記位相差情報をもとに判定する位相差判定手段と、
前記位相差判定手段が判定した位相差に対応するシフト数を求め、各トリビュタリ信号の分配先を該シフト数分、シフトさせる指示を行うシフト制御手段と、
前記シフト制御手段の指示によって各トリビュタリ信号の分配先をシフトする方路設定手段と、
前記シフト数を前記コード抽出手段に転送するシフト数転送手段と、
を備え、
前記コード抽出手段は、
前記シフト数転送手段から転送されたシフト数をもとに前記フレーム識別手段がカウントするフレーム周期をシフトさせるカウントシフト制御手段を備えたことを特徴とするトリビュタリ信号伝送システム。
【請求項２】
前記コード抽出手段は、
入力されたトリビュタリ信号を並列信号に変換する直並列変換手段と、
前記直並列変換手段によって並列展開されたトリビュタリ信号内のフレーム識別情報をもとにフレーム周期をカウントしてフレーム位相を識別するフレーム識別手段と、
前記直並列変換手段による並列展開動作の周期をシフトさせる直並列変換シフト制御手段と、
を備えたことを特徴とする請求項１に記載のトリビュタリ信号伝送システム。
【請求項３】
前記コード抽出手段は、
入力されたトリビュタリ信号を並列信号に変換する直並列変換手段と、
前記直並列変換手段によって並列展開されたトリビュタリ信号内のフレーム識別情報をもとにフレーム周期をカウントしてフレーム位相を識別するフレーム識別手段と、
前記直並列変換手段によって並列展開されたトリビュタリ信号の並列ビット順序をシフトさせるビットシフト制御手段と、
を備えたことを特徴とする請求項１に記載のトリビュタリ信号伝送システム。
【請求項４】
前記分配手段に入力される多重分離されたトリビュタリ信号は、並列信号であり、
前記コード抽出手段は、
入力された並列のトリビュタリ信号をさらに並列展開する直並列変換手段と、
前記直並列変換手段によって並列展開されたトリビュタリ信号内のフレーム識別情報をもとにフレーム周期をカウントしてフレーム位相を識別するフレーム識別手段と、
前記直並列変換手段による並列展開動作の周期をシフトさせる直並列変換シフト制御手段と、
前記直並列変換手段によって並列展開出力されたトリビュタリ信号の並列ビット順序をシフトさせるビットシフト制御手段と、
を備えたことを特徴とする請求項１に記載のトリビュタリ信号伝送システム。
【請求項５】
前記コード識別手段は、前記分配手段に出力する位相差情報の出力タイミングを調整する位相管理手段をさらに備えたことを特徴とする請求項１〜４のいずれか一つに記載のトリビュタリ信号伝送システム。
【請求項６】
前記送信装置は、各トリビュタリ信号のフレーム内に誤り訂正符号を付加する誤り訂正付加手段をさらに備え、
前記受信装置は、各トリビュタリ信号のフレーム内の誤り訂正符号をもとに該トリビュタリ信号の誤り訂正を行う誤り訂正手段をさらに備え、
前記フレーム識別手段は、
フレーム同期の識別が確立している場合、前記誤り訂正手段によって誤り訂正されたトリビュタリ信号内のフレーム識別情報をもとにフレーム同期の認識を行い、フレーム同期の識別が確立していない場合、前記誤り訂正手段に入力される誤り訂正前のトリビュタリ信号内のフレーム識別情報をもとにフレーム同期の認識を行うことを特徴とする請求項１〜５のいずれか一つに記載のトリビュタリ信号伝送システム。
【発明の詳細な説明】
【０００１】
【発明の属する技術分野】
この発明は、送信装置の各トリビュタリが出力した各トリビュタリ信号を多重化して伝送路に送出し、伝送路から入力される多重化された各トリビュタリ信号を受信装置によって多重分離し、各トリビュタリ信号に対応する受信側の各トリビュタリに分配するトリビュタリ信号伝送システムに関するものである。
【０００２】
【従来の技術】
従来から、複数のトリビュタリ信号を多重し、多重分離する方式としては、たとえば、ＩＴＵ−Ｔ（International Telecommunication Union-Telecommunication）勧告Ｇ．９７５（Forward error correction for submarine system 1996/11）に記載されたものがある。
【０００３】
図１６は、ＩＴＵ−Ｔ勧告Ｇ．９７５に記載されたＭ個のＦＥＣデータを伝送する従来のトリビュタリ信号伝送システムの構成を示すブロック図である。図１６において、送信装置２１０と受信装置２２０とは、光ファイバ等の伝送路２０１によって接続される。送信装置２１０は、Ｍ個のトリビュタリ２１０−１〜２１０−Ｍを有し、各トリビュタリ２１０−１〜２１０−Ｍから出力されたトリビュタリ信号（ＦＥＣデータ）Ｓ２１０は、多重部２１２によって多重化され、多重化された多重化信号Ｓ２０２は電気光変換部２１３によって光信号である伝送信号Ｓ２０３に変換され、伝送路２０１上に送信される。受信装置２２０は、伝送路２０１から入力された伝送信号Ｓ２０３を光電気変換部２２４によって電気信号である多重化信号Ｓ２０４に変換し、変換された多重化信号Ｓ２０４を分離部２２３によって多重分離し、各トリビュタリ信号Ｓ２０６をそれぞれ対応するＭ個のトリビュタリ２２０−１〜２２０−Ｍに分配出力する。
【０００４】
図１７は、ＩＴＵ−Ｔ勧告Ｇ．９７５に記載され、上述したＭ個の各ＦＥＣデータのフレームフォーマットを示す図である。図１７において、各ＦＥＣデータである各トリビュタリ信号は、８個のサブフレームをｎ個有し、各サブフレームは、２５５ビットであり、オーバヘッドとＳＴＭ−１６データと巡回符号データとを有する。各サブフレームはインターリーブされて出力され、２５５個のコラムを構成する。各フレームは、多重化され、そのままのフォーマットをもつ伝送信号Ｓ２０３として送信される。ここで、ＩＴＵ−Ｔ勧告Ｇ．９７５の５．４．２に記載されているように、コラム「１」には、このフレームのフレーム位相を識別するためのフレーム識別情報（FEC Frame Alignment Word）、送信装置２１０と受信装置２２０との各トリビュタリの対応関係を識別するための識別コード（the tributary markers）などが収容されている。
【０００５】
したがって、図１８に示すように、送信装置２１０側の各トリビュタリ２１０−１〜２１０−Ｍは、自トリビュタリに識別コードを付加するコード付加部２１１−１〜２１１−Ｍをそれぞれ有する。また、受信装置２２０側の各トリビュタリ２２０−１〜２２０−Ｍは、自トリビュタリの識別コードを認識するコード認識部２２１−１〜２２１−Ｍをそれぞれ有するとともに、分離部２２３と各トリビュタリ２２０−１〜２２０−Ｍとの間に、コード認識部２２１−１〜２２１−Ｍの認識結果をもとに分離部２２３から出力された多重分離信号（トリビュタリ信号）Ｓ２０５の分配制御を行う分配部２０４が設けられる。各トリビュタリ２１０−１〜２１０−Ｍは、それぞれ各トリビュタリ２２０−１〜２２０−Ｍに対応して送信するため、各トリビュタリ２１０−１〜２１０−Ｍと各トリビュタリ２２０−１〜２２０−Ｍとには、それぞれ対応する異なる識別コードが予め設定される。
【０００６】
図１８〜図２１を参照して、この識別コードを用いた各トリビュタリ信号の分配方式についてさらに詳述する。図１８において、送信装置２１０の各コード付加部２１１−１〜２１１−Ｍは、各自トリビュタリ信号に対して予め設定され、各トリビュタリ２１０−１〜２１０−Ｍ毎に異なる識別コードを周期的に付加するとともに、この周期を識別するための各トリビュタリに共通なフレーム識別情報を付加する。この際、フレーム識別情報が付加される位置と識別コードが付加される位置との位相関係は固定される。この識別コードおよびフレーム識別情報が付加されたトリビュタリ信号Ｓ２０１は、多重部２１２によって多重化され、電気光変換部２１３によって光信号としての伝送信号Ｓ２０３に変換されて伝送路２０１に送信される。
【０００７】
受信装置２２０の光電気変換部２２４は、伝送路２０１から入力される伝送信号Ｓ２０３を電気信号である多重化信号Ｓ２０４に変換し、分離部２２３は多重化信号Ｓ２０４を、多重化したＭ個のトリビュタリ数と同数に多重分離し、多重分離信号Ｓ２０５を分配部２２２に出力する。分配部２２２は、各トリビュタリ２２０−１〜２２０−Ｍのコード識別部２２１−１〜２２１−Ｍから入力される位相識別情報をもとに各トリビュタリ信号Ｓ２０６を各トリビュタリ２２０−１〜２２０−Ｍに分配する。
【０００８】
分配部２２２によって分配された各トリビュタリ信号Ｓ２０６は、各トリビュタリのコード識別部２２１−１〜２２１−Ｍに入力される。各コード識別部２２１−１〜２２１−Ｍは、図１９に示したコード識別部２２１−１の構成をもつ。トリビュタリ２２１−１に入力されたトリビュタリ信号Ｓ２０６−１は、コード抽出部２４１に入力され、コード抽出部２４１は、図２０に示すように、フレーム識別部２５１が、トリビュタリ信号Ｓ２０６−１に付加されたフレーム識別情報をパターン照合によって検出し、検出結果であるフレーム位相を位相情報Ｓ２４１としてコード取り出し部２５２に出力する。コード取り出し部２５２は、位相情報Ｓ２４１が示すフレーム位相をもとにトリビュタリ信号Ｓ２０６−１内の識別コードＳ２５２を取り出し、Ｍ個のコード一致検出部２４２−１〜２４２−Ｍに出力する。
【０００９】
各コード一致検出部２４２−１〜２４２−Ｍは、Ｍ個の各トリビュタリ２２０−１〜２２０−Ｍの個数と同じ個数を有し、それぞれに各トリビュタリ２２０−１〜２２０−Ｍに設定される識別コードを保持し、入力された識別コードＳ２５２と一致するか否かを検出し、検出結果を位相差識別部２４３に出力する。位相差識別部２４３は、自トリビュタリ２２０−１に設定された識別コードとの位相差を識別し、識別結果を位相差情報Ｓ２０８−１として分配部２２２に出力する。
【００１０】
分配部２２２には、各識別コード部２２１−１〜２２１−Ｍから出力された位相差情報Ｓ２０８（Ｓ２０８−１〜Ｓ２０８−Ｍ）が入力され、位相差判定部２３３は、この位相差情報Ｓ２０８をもとに、現在のトリビュタリ信号の分配状態と正しいトリビュタリ信号の分配状態との位相差を判定し、判定した判定位相差Ｓ２３１をシフト数制御部２３２に出力する。シフト数制御部２３２は、現在の分配状態を正しい分配状態にするための分配先のシフト数Ｓ２３２を方路設定部２３１に出力する。方路設定部２３１は、入力されたシフト数Ｓ２３２をもとに多重分離信号Ｓ２０５の分配先をシフトして各多重分離信号の分配先が正しいトリビュタリ２２０−１〜２２０−Ｍとなるように切替制御する。これによって、送信装置２１０側のトリビュタリ２１０−１〜２１０−Ｍにそれぞれ対応する受信装置２２０側のトリビュタリ２２０−１〜２２０−Ｍに、各トリビュタリ信号が送信され、受信されることになる。
【００１１】
【発明が解決しようとする課題】
しかしながら、上述した従来のトリビュタリ信号伝送システムでは、分配部２２２が、各コード識別部２２０−１〜２２０−Ｍから出力される位相差情報Ｓ２０８をもとに各トリビュタリ信号Ｓ２０６の分配先を切り替えた場合、各トリビュタリ信号Ｓ２０６のフレーム同期が崩れる場合がある。
【００１２】
図２２は、分配部２２２による分配先のシフトが行われた場合の多重化信号Ｓ２０５と各トリビュタリ信号Ｓ２０６−１〜Ｓ２０６−４の関係と示した図である。図２２では、トリビュタリの多重数Ｍ＝４とし、シフト数＝２とした場合を示している。図２２において、「１ａ」などの各信号を示す値のうちの数字「１」〜「４」は各トリビュタリを示し、ローマ字「ａ」〜「ｅ」は各トリビュタリに対する信号の順序を示している。図２２では、時刻Ｔまでは、たとえばトリビュタリ２２０−１に入力されるトリビュタリ信号Ｓ２０６−１はトリビュタリ２２０−３に対応する信号であり、各トリビュタリ信号Ｓ２０６−１〜Ｓ２０６−４は、それぞれ二つずつ分配先がずれている。時刻Ｔにおいて、シフト数＝２とする方路切替が実行され、各トリビュタリ２２０−１〜２２０−４に対応するトリビュタリ信号Ｓ２０６−１〜Ｓ２０６−４が分配されている。
【００１３】
しかし、時刻Ｔによる方路切替前後の各トリビュタリ信号Ｓ２０６−１〜Ｓ２０６−４のビット順序をみると、たとえばトリビュタリ信号Ｓ２０６−１は、「３ａ」→「３ｂ」→「１ｄ」→「１ｅ」として受信され、「ｃ」番目に対応するビットが欠落している。一方、各トリビュタリ信号Ｓ２０６−１〜Ｓ２０６−４は全てフレーム識別情報をもっているため、この「ｃ」番目のビットの欠落によって、トリビュタリ２２０−１のフレーム識別部２５１は、フレーム識別情報を認識することができなくなる。なぜなら、フレーム識別部２５１は、一定の識別パターンを検出した場合に、この検出後、一定の周期でこの識別パターンの確認動作を行うようにしているからである。
【００１４】
さらに、フレーム識別部２５１による一般的なフレーム同期処理は、ビット誤りなどによって、同期状態と非同期状態との間の遷移を頻繁に発生させないようにするため、前方保護や後方保護等の同期保護を行っている。すなわち、同期パターンの一致確認が連続して生じた場合に同期を確立し、同期パターンの不一致確認が連続して生じた場合に同期外れを認識する同期保護を行っている。この同期保護の保護段数（連続回数）は、ビット誤り等の誤同期や、誤って同期を外してしまう確率を出きる限り低くするため、通常、数回から７回程度に設定される。
【００１５】
たとえば、前方保護および後方保護の保護段数をともに「３」とすると、上述したトリビュタリ信号Ｓ２０６−１のビットの欠落によって、トリビュタリ２２０−１では、フレーム同期外れに至るまで３フレーム、続いてフレーム同期を確立するまでにさらに３フレームを必要とする。このようなフレーム同期外れの状態では、フレーム位相の識別を行うことができないため、上述したＳＴＭ−１６データや、オーバヘッド内のフレーム識別情報および識別コードを認識することができず、正常な信号伝達を行うことができない。
【００１６】
したがって、上述した従来のトリビュタリ信号伝送システムでは、分配部２２２が、各コード識別部２２０−１〜２２０−Ｍから出力される位相差情報Ｓ２０８をもとに各トリビュタリ信号Ｓ２０６の分配先を切り替えた場合、各トリビュタリ信号Ｓ２０６のフレーム同期が崩れる場合があり、この場合、各トリビュタリ２２０−１〜２２０−Ｍにおけるフレーム同期が外れ、トリビュタリ信号の正常な伝達が遅れてしまうという問題点があった。
【００１７】
この発明は上記に鑑みてなされたもので、トリビュタリ信号の分配を切り替えた場合に、全トリビュタリ信号のフレーム同期外れをなくし、安定性および信頼性の高いトリビュタリ信号伝送システムを得ることを目的とする。
【００１８】
【課題を解決するための手段】
上記目的を達成するため、この発明にかかるトリビュタリ信号伝送システムは、予め設定されたトリビュタリ順序に従って、各トリビュタリ毎に設定された識別コードと各トリビュタリに共通のフレーム識別情報とが付加された各トリビュタリ信号を多重化し、この多重化した信号を送信装置側から受信装置側に送信し、受信装置側が、前記多重化された信号を多重分離し、分配手段が該多重分離した各トリビュタリ信号を分配して各トリビュタリに転送し、各トリビュタリが、コード識別手段によって、入力されたトリビュタリ信号から識別コードを抽出し、該識別コードと自トリビュタリの識別コードとの位相差を検出し、前記分配手段が該位相差をもとに各トリビュタリ信号がそれぞれ対応するトリビュタリに転送されるように切替制御し、前記送信装置の各トリビュタリが送信する各トリビュタリ信号を前記受信装置内の対応する各トリビュタリに伝送するトリビュタリ信号伝送システムにおいて、各前記コード識別手段は、入力されたトリビュタリ信号内のフレーム識別情報をもとにフレーム周期をカウントしてフレーム位相を識別するフレーム識別手段を有し、該フレーム位相をもとに、入力されたトリビュタリ信号の識別コードを抽出するコード抽出手段と、抽出した識別コードと自トリビュタリの識別コードとの位相差を認識し、該位相差を位相差情報として前記分配手段に出力する位相差識別手段とを備え、前記分配手段は、各トリビュタリ信号の現分配状態と各トリビュタリに対応する各トリビュタリ信号の正規分配状態との位相差を前記位相差識別手段からの前記位相差情報をもとに判定する位相差判定手段と、前記位相差判定手段が判定した位相差に対応するシフト数を求め、各トリビュタリ信号の分配先を該シフト数分、シフトさせる指示を行うシフト制御手段と、前記シフト制御手段の指示によって各トリビュタリ信号の分配先をシフトする方路設定手段と、前記シフト数を前記コード抽出手段に転送するシフト数転送手段とを備え、前記コード抽出手段は、前記シフト数転送手段から転送されたシフト数をもとに前記フレーム識別手段がカウントするフレーム周期をシフトさせるカウントシフト制御手段を備えたことを特徴とする。
【００１９】
この発明によれば、各コード識別手段のフレーム識別手段が、自トリビュタリに入力されたトリビュタリ信号内のフレーム識別情報をもとにトリビュタリ信号のフレーム周期をカウントしてフレーム位相を識別し、コード抽出手段が、該フレーム位相をもとに、入力されたトリビュタリ信号の識別コードを抽出し、位相差識別手段がこの抽出した識別コードと自トリビュタリの識別コードとの位相差を認識し、該位相差を位相差情報として分配手段に出力する。分配手段の位相差判定手段が、各トリビュタリ信号の現分配状態と各トリビュタリに対応する各トリビュタリ信号の正規分配状態との位相差を前記位相差識別手段からの前記位相差情報をもとに判定し、シフト制御手段が、前記位相差判定手段が判定した位相差に対応するシフト数を求め、各トリビュタリ信号の分配先を該シフト数分、シフトさせる指示を行い、方路設定手段が、前記シフト制御手段の指示によって各トリビュタリ信号の分配先をシフトし、シフト数転送手段が、前記シフト数を前記コード抽出手段に転送し、前記コード抽出手段のカウントシフト制御手段が、前記シフト数転送手段から転送されたシフト数をもとに前記フレーム識別手段がカウントするフレーム周期をシフトさせ、前記方路設定手段が各トリビュタリ信号の分配先をシフトした場合に生じる、各トリビュタリ信号のビットずれによるフレーム同期外れをなくすようにしている。
【００２０】
つぎの発明にかかるトリビュタリ信号伝送システムは、上記の発明において、前記コード抽出手段は、入力されたトリビュタリ信号を並列信号に変換する直並列変換手段と、前記直並列変換手段によって並列展開されたトリビュタリ信号内のフレーム識別情報をもとにフレーム周期をカウントしてフレーム位相を識別するフレーム識別手段と、前記直並列変換手段による並列展開動作の周期をシフトさせる直並列変換シフト制御手段と、を備えたことを特徴とする。
【００２１】
この発明によれば、コード抽出手段内の直並列変換手段が、入力されたトリビュタリ信号を並列信号に変換して出力するとともに、フレーム識別手段が、前記直並列変換手段によって並列展開されたトリビュタリ信号内のフレーム識別情報をもとにフレーム周期をカウントしてフレーム位相を識別し、コード抽出手段がこのフレーム位相をもとに、入力されたトリビュタリ信号の識別コードを抽出する。直並列変換シフト手段には、シフト数転送手段からシフト数が転送され、直並列変換シフト手段は、このシフト数をもとに自トリビュタリに入力されるトリビュタリ信号のビットずれを求め、前記直並列変換手段による並列展開動作の周期をシフトさせ、入力されたトリビュタリ信号のビットずれによるフレーム同期外れをなくすようにしている。
【００２２】
つぎの発明にかかるトリビュタリ信号伝送システムは、上記の発明において、前記コード抽出手段は、入力されたトリビュタリ信号を並列信号に変換する直並列変換手段と、前記直並列変換手段によって並列展開されたトリビュタリ信号内のフレーム識別情報をもとにフレーム周期をカウントしてフレーム位相を識別するフレーム識別手段と、前記直並列変換手段によって並列展開されたトリビュタリ信号の並列ビット順序をシフトさせるビットシフト制御手段と、を備えたことを特徴とする。
【００２３】
この発明によれば、前記コード抽出手段内の直並列変換手段が、入力されたトリビュタリ信号を並列信号に変換して出力するとともに、フレーム識別手段が、前記直並列変換手段によって並列展開されたトリビュタリ信号内のフレーム識別情報をもとにフレーム周期をカウントしてフレーム位相を識別し、コード抽出手段がこのフレーム位相をもとに、入力されたトリビュタリ信号の識別コードを抽出する。ビットシフト制御手段には、シフト数転送手段からシフト数が転送され、ビットシフト制御手段は、このシフト数をもとに自トリビュタリに入力されるトリビュタリ信号のビットずれを求め、前記直並列変換手段によって並列展開されたトリビュタリ信号の並列ビット順序をシフトさせ、入力されたトリビュタリ信号のビットずれによるフレーム同期外れをなくすようにしている。
【００２４】
つぎの発明にかかるトリビュタリ信号伝送システムは、上記の発明において、前記分配手段に入力される多重分離されたトリビュタリ信号は、並列信号であり、前記コード抽出手段は、入力された並列のトリビュタリ信号をさらに並列展開する直並列変換手段と、前記直並列変換手段によって並列展開されたトリビュタリ信号内のフレーム識別情報をもとにフレーム周期をカウントしてフレーム位相を識別するフレーム識別手段と、前記直並列変換手段による並列展開動作の周期をシフトさせる直並列変換シフト制御手段と、前記直並列変換手段によって並列展開出力されたトリビュタリ信号の並列ビット順序をシフトさせるビットシフト制御手段と、を備えたことを特徴とする。
【００２５】
この発明によれば、コード抽出手段内の直並列変換手段が、入力された並列のトリビュタリ信号をさらに並列展開して出力するとともに、フレーム識別手段が、前記直並列変換手段によって並列展開されたトリビュタリ信号内のフレーム識別情報をもとにフレーム周期をカウントしてフレーム位相を識別し、コード抽出手段がこのフレーム位相をもとに、並列展開されたトリビュタリ信号内の識別コードを抽出する。直並列変換シフト手段およびビットシフト制御手段には、シフト数転送手段からシフト数が転送され、直並列変換シフト手段が、このシフト数をもとに前記直並列変換手段による並列展開動作の周期をシフトさせ、前記ビットシフト制御手段が、前記直並列変換手段によって並列展開出力されたトリビュタリ信号の並列ビット順序をシフトさせ、入力された並列のトリビュタリ信号のビットずれによるフレーム同期外れをなくすようにしている。
【００２６】
つぎの発明にかかるトリビュタリ信号伝送システムは、上記の発明において、前記コード識別手段は、前記分配手段に出力する位相差情報の出力タイミングを調整する位相管理手段をさらに備えたことを特徴とする。
【００２７】
この発明によれば、コード識別手段の位相管理手段が、分配手段に出力する位相差情報の出力タイミングを調整する。すなわち、シフト制御手段が方路設定手段にシフト数を指示するタイミングおよびシフト数転送手段がシフト数を転送するタイミングを調整し、入力されたトリビュタリ信号のフレーム位相の中心付近でフレーム周期の補正を行えるようする。
【００２８】
つぎの発明にかかるトリビュタリ信号伝送システムは、上記の発明において、前記送信装置は、各トリビュタリ信号のフレーム内に誤り訂正符号を付加する誤り訂正付加手段をさらに備え、前記受信装置は、各トリビュタリ信号のフレーム内の誤り訂正符号をもとに該トリビュタリ信号の誤り訂正を行う誤り訂正手段をさらに備え、前記フレーム識別手段は、フレーム同期の識別が確立している場合、前記誤り訂正手段によって誤り訂正されたトリビュタリ信号内のフレーム識別情報をもとにフレーム同期の認識を行い、フレーム同期の識別が確立していない場合、前記誤り訂正手段に入力される誤り訂正前のトリビュタリ信号内のフレーム識別情報をもとにフレーム同期の認識を行うことを特徴とする。
【００２９】
この発明によれば、フレーム識別手段が、フレーム同期の識別が確立している場合、誤り訂正手段によって誤り訂正されたトリビュタリ信号内のフレーム識別情報をもとにフレーム同期の認識を行い、フレーム同期の識別が確立していない場合、誤り訂正手段に入力される誤り訂正前のトリビュタリ信号内のフレーム識別情報をもとにフレーム同期の認識を行うようにしている。
【００３０】
【発明の実施の形態】
以下に添付図面を参照して、この発明にかかるトリビュタリ信号伝送システムの好適な実施の形態を詳細に説明する。
【００３１】
実施の形態１．
図１は、この発明の実施の形態１であるトリビュタリ信号伝送システムの全体構成を示すブロック図である。図１において、送信装置１０および受信装置２０は、光ファイバなどの伝送路１によって接続される。送信装置１０は、Ｍ個のトリビュタリ１０−１〜１０−Ｍを有し、各トリビュタリ１０−１〜１０−Ｍは、コード付加部１１−１〜１１−Ｍを有する。また、受信装置２０は、Ｍ個のトリビュタリ２０−１〜２０−Ｍを有し、各トリビュタリ２０−１〜２０−Ｍは、コード識別部２１−１〜２１−Ｍを有する。各トリビュタリ１０−１〜１０−Ｍは、それぞれは、それぞれ自トリビュタリ信号に対して予め設定され、受信装置２０の各トリビュタリ２０−１〜２０−Ｍにそれぞれ対応して予め設定された、各トリビュタリ１０−１〜１０−Ｍ毎に異なる識別コードを周期的に付加するとともに、この周期を識別するための各トリビュタリに共通なフレーム識別情報を付加する。この際、フレーム識別情報が付加される位置と識別コードが付加される位置との位相関係は固定である。この識別コードおよびフレーム識別情報が付加されたトリビュタリ信号Ｓ１は、多重部１２によって多重化された多重化信号Ｓ２として電気光変換部１３に入力され、電気光変換部１３によって光信号としての伝送信号Ｓ３に変換されて伝送路１に送信される。
【００３２】
受信装置２０の光電気変換部２４は、伝送路１から入力される伝送信号Ｓ３を電気信号である多重化信号Ｓ４に変換し、分離部２３は多重化信号Ｓ４を、多重化したＭ個のトリビュタリ数と同数に多重分離し、この多重分離信号Ｓ５を分配部２２に出力する。分配部２２は、各トリビュタリ２０−１〜２０−Ｍのコード識別部２１−１〜２１−Ｍから入力される位相識別情報Ｓ８をもとに各トリビュタリ信号Ｓ６を各トリビュタリ２０−１〜２０−Ｍに分配する。
【００３３】
分配部２２によって分配された各トリビュタリ信号Ｓ６は、各トリビュタリのコード識別部２１−１〜２１−Ｍに入力される。各コード識別部２１−１〜２１−Ｍは、入力されたトリビュタリ信号Ｓ６（Ｓ６−１〜Ｓ６−Ｍ）から識別コードを取り出し、この取り出した識別コードと自識別コードとの位相差である位相差情報Ｓ８（Ｓ８−１〜Ｓ８−Ｍ）を分配部２２に出力するとともに、入力されたトリビュタリ信号Ｓ６−１〜Ｓ６−Ｍを出力する。
【００３４】
図２は、図１に示した分配部２２の構成を示すブロック図である。図２において、方路設定部３１は、分離部２３から入力されるＭ個の多重分離信号Ｓ５を各トリビュタリ２０−１〜２０−Ｍに対して１対１に割り当てたＭ個のトリビュタリ信号Ｓ６として各トリビュタリ２０−１〜２０−Ｍに出力する。位相差判定部３３は、コード識別部２１−１〜２１−Ｍから入力される位相差情報Ｓ８（Ｓ８−１〜Ｓ８−Ｍ）をもとに、一つの位相差を判定し、判定結果である判定位相差Ｓ３１をシフト数制御部３２に出力する。シフト数制御部３２は、判定位相差Ｓ３１をもとに、方路設定部３１に設定されている多重分離信号Ｓ５の分配先をシフトさせるシフト数Ｓ３２を方路設定部３１に出力するとともに、シフト数転送部３４に出力する。方路設定部３１は、シフト数制御部３２から入力されたシフト数Ｓ３２が指示するシフト数分、多重分離信号Ｓ５の分配先をシフトさせる。この分配先のシフトによってトリビュタリ信号Ｓ６−１〜Ｓ６−Ｍは、それぞれトリビュタリ２０−１〜２０−Ｍに正しく対応させられる。
【００３５】
一方、シフト数転送部３４は、入力されたシフト数Ｓ３２を、方路設定部３１による分配先のシフト動作から、このシフト動作によって生じる各トリビュタリ２０−１〜２０−Ｍのコード識別部２１−１〜２１−Ｍにおけるトリビュタリ信号Ｓ６−１〜Ｓ６−Ｍのシフトまでの時間を認識しており、コード認識部２１−１〜２１−Ｍにおけるフレーム同期が外れないタイミングでシフト数Ｓ３２をシフト数Ｓ７としてコード識別部２１−１〜２１−Ｍに出力する。
【００３６】
図３は、コード識別部２１−１の構成を示すブロック図であり、図４は、コード識別部２１−１内のコード抽出部４１の構成を示すブロック図である。なお、他のコード識別部２１−２〜２１−Ｍの構成は、コード識別部２１−１と同じ構成である。図３および図４において、各コード識別部２１−１は、コード抽出部４１を有する。
【００３７】
コード抽出部４１には、方路設定部３１からトリビュタリ信号Ｓ６−１が入力される。コード抽出部４１は、フレーム識別部５１を有し、フレーム識別部５１は、トリビュタリ信号Ｓ６−１に付加されたフレーム識別情報をパターン照合によって検出し、検出結果であるフレーム位相を位相情報Ｓ４１として、コード取り出し部５２に送出するとともに、位相差識別部４３に送出する。コード取り出し部５２は、位相情報Ｓ４１が示すフレーム位相をもとに、トリビュタリ信号Ｓ６−１内の識別コードＳ５２を抽出し、Ｍ個のコード一致検出部４２−１から４２−Ｍに出力する。なお、トリビュタリ信号Ｓ６−１は、そのまま最終的なトリビュタリ信号Ｓ６−１として出力される。
【００３８】
各コード一致検出部４２−１〜４２−Ｍは、Ｍ個の各トリビュタリ２０−１〜２０−Ｍの個数と同じ個数を有し、それぞれに各トリビュタリ２０−１〜２０−Ｍに設定される識別コードを保持し、入力された識別コードＳ５２と一致するか否かを検出し、検出結果を位相差識別部４３に出力する。位相差識別部４３は、自トリビュタリ２０−１に設定された識別コードとの位相差を識別し、識別結果を位相差情報Ｓ８−１として分配部２２に出力する。位相差識別部４３は、位相差が正の値または「０」の値である場合には、その値をそのまま位相差情報Ｓ８−１として出力し、負の値となる場合には、値「Ｍ」を付加し、一致が検出されない場合およびコード抽出部４１による識別コードの抽出ができなかったことを示す抽出無効信号が入力された場合には、位相差情報Ｓ８−１が無効であることを示す値にして出力する。
【００３９】
一方、コード抽出部４１内のカウントシフト制御部５３には、シフト数転送部３４から出力されたシフト数Ｓ７が入力され、カウントシフト制御部５３は、シフト数Ｓ７が示す値が「０」またはシフト数Ｓ７が入力されない場合、フレーム識別部５１に対する制御は行わない。シフト数Ｓ７の値が「０」でない場合、自トリビュタリ２０−１の番号「１」とシフト数Ｓ７の値とから、方路設定部３１のシフト動作時におけるビットずれ量をフレーム識別部５１に指示する。フレーム識別部５１は、一定のフレーム周期で、入力されるトリビュタリ信号Ｓ６−１内のフレーム識別情報を確認している。ここで、方路設定部３１によるシフト動作によってビットずれが生じた場合で、カウントシフト制御部５３からの制御入力がない場合、トリビュタリ信号Ｓ６−１のフレーム位相が変化する。このため、フレーム識別部５１は、カウントシフト制御部５３からの制御によって、方路設定部３１によるシフト動作によって生じたビットずれの方向と数とが認識され、フレーム周期をカウントする値が補正され、フレーム同期外れが生じることがない。
【００４０】
図５は、方路設定部３１のシフト動作によるビットずれと各トリビュタリ２０−１〜２０−Ｍにおけるビットずれの補正との関係の一例を示す図である。図５では、４つのトリビュタリ２０−１〜２０−４に対する多重化信号Ｓ４を各トリビュタリ２０−１〜２０−４に分配する際、２ビットずれており、時刻Ｔにおいて方路設定部３１がシフト数＝２のシフト動作を行っている。このシフト数＝２のシフト動作によって、トリビュタリ２０−１，２０−２にそれぞれ入力されるトリビュタリ信号Ｓ６−１，Ｓ６−２は、１ビットの欠落が生じ、トリビュタリ２０−３，２０−４にそれぞれ入力されるトリビュタリ信号Ｓ６−３，Ｓ６−４は、１ビットの重複が生じている。すなわち、シフト数＝２のシフト動作によって、トリビュタリ２０−１，２０−２では「−１」のビットずれが生じ、トリビュタリ２０−３，２０−４では「＋１」のビットずれが生じている。この各トリビュタリ２０−１〜２０−４におけるビットずれの値は、自トリビュタリ２０−１〜２０−４の番号である「１」〜「４」の値と、シフト数＝２の値とを知ることによって算出することができる。また、算出した結果をテーブルとして保持することによって、直ちに各トリビュタリ２０−１〜２０−４におけるビットずれを知ることができる。
【００４１】
図６は、トリビュタリ２０−１のコード抽出部４１におけるビットずれに伴うフレーム周期の補正の一例を示す図である。図６に示すフレーム周期は、「ａ」〜「ｈ」の８ビットであり、図５に示したフレーム周期が「ａ」〜「ｄ」の４ビットである点が異なるが、方路設定部３１によるシフトはシフト数＝２であり、図５に示したシフト数と同じである。したがって、トリビュタリ２０−１に入力されるトリビュタリ信号Ｓ６−１は、方路設定部３１によるシフトが行われる以前は、トリビュタリ２０−３に対応したトリビュタリ信号が入力されている。ここで、各ビットの数字は、トリビュタリの番号を示し、ローマ字は、フレーム位相を示している。たとえば、ビット「３ａ」は、トリビュタリの番号が「３」に対応するトリビュタリ２０−３を示し、フレーム位相が、「ａ」〜「ｈ」のうちの「ａ」であることを示している。なお、フレーム識別情報は、フレーム位相「ａ」および「ｂ」をもつビット内に含まれている。したがって、フレーム識別部５１は、図示しないフレーム周期カウンタ値ＦＣが「ａ」および「ｂ」の時にフレーム位相を認識し、フレーム識別情報確認信号（位相情報Ｓ４１）を出力している。
【００４２】
図６において、位相差識別部４３から出力された位相差情報Ｓ８をもとに位相差判定部３３が位相差を判定し、この判定位相差Ｓ３１によって得られるシフト数Ｓ３２は、シフト数＝２である。これによって、分配部２２の方路設定部３１は、時刻Ｔでトリビュタリ信号Ｓ６を二つシフトさせる。このシフトされたトリビュタリ信号Ｓ６は、各トリビュタリ２０−１〜２０−８に転送されるが、シフト数転送部３４によるシフト数Ｓ７の転送時間に比して早くコード抽出部４１に到達し、時刻Ｔ１にシフト時点が入力される。この時刻Ｔ１以降におけるフレーム位相は、入力されたトリビュタリ信号Ｓ６−１に対してずれが生じている。
【００４３】
一方、カウントシフト制御部５３は、シフト数Ｓ７をもとに、トリビュタリ２０−１に入力されたトリビュタリ信号Ｓ６−１が１ビット欠落することを認識し、フレーム周期を１ビット早める指示をフレーム識別部５１に出力する。これによって、時刻Ｔ２において、フレーム識別部５１内の図示しないフレーム周期カウンタは、フレーム周期カウンタ値ＦＣを１ビット早め、シフトされたトリビュタリ信号Ｓ６−１のフレーム周期に同期できる補正を行う。フレーム識別部５１は、フレーム周期カウンタ値ＦＣの「ａ」および「ｂ」によってフレーム識別情報確認信号を出力するようにしているので、方路設定部３１のシフト動作によって各トリビュタリにおけるフレーム同期が外れることはない。
【００４４】
なお、図６では、トリビュタリ信号Ｓ６−１に対する方路切替によるシフト時点のデータがコード抽出部４１に入力される時刻Ｔ１と、カウントシフト制御部５３によるフレーム周期を補正する時刻Ｔ２とは、２ビット分ずれているが、実際の受信装置２０などにおけるトリビュタリ信号の伝送は高速である一方、シフト数Ｓ７等の制御信号の伝送は低速であるため、このようなビットずれを完全になくすことは困難である。しかしながら、上述したように、時刻Ｔ２においてカウントシフト制御部５３によるフレーム同期の補正を行うことによって、フレーム同期が外れる前に、シフトされたトリビュタリ信号Ｓ６−１に同期するフレーム認識情報確認信号を得ることができるため、フレーム同期が外れることがない。
【００４５】
一方、時刻Ｔ１と時刻Ｔ２との間に、フレーム識別情報が入ってしまう場合、フレーム識別情報確認ができなくなるが、通常、フレーム同期動作に対しては何段かの保護段数によって同期保護がなされ、フレーム識別情報確認が一度できなくても、フレーム同期が外れることはない。
【００４６】
この実施の形態１によれば、方路設定部３１が、トリビュタリ信号Ｓ６−１〜Ｓ６−Ｍが正規のトリビュタリ２０−１〜２０−Ｍに分配されるように分配先をシフトさせる場合に、各コード抽出部４１に入力されるトリビュタリ信号Ｓ６−１〜Ｓ６−Ｍは、ビットずれを生ずるが、方路設定部３１がシフト動作を行う際、シフト数転送部３４が、このシフトしたシフト数Ｓ７をコード抽出部４１のカウントシフト制御部５３に出力し、各カウントシフト制御部５３が、自コード抽出部４１に入力されるトリビュタリ信号のビットずれに対応するフレーム同期ずれを補正するようにしているので、各コード抽出部４１は、方路設定部３１によるシフト動作が発生した後であっても、フレーム同期外れが発生せず、正常なトリビュタリ信号を出力することができる。
【００４７】
実施の形態２．
つぎに、この発明の実施の形態２について説明する。実施の形態１におけるコード抽出部４１は、シリアル信号のトリビュタリ信号Ｓ６をそのままトリビュタリ信号Ｓ６として出力していたが、この実施の形態２では、シリアル信号のトリビュタリ信号Ｓ６をパラレル信号（並列信号）に変換して出力し、この場合においてもコード抽出部のフレーム同期外れが生じないようにしている。
【００４８】
図７は、この発明の実施の形態２であるトリビュタリ信号伝送システム内のコード抽出部の構成を示すブロック図である。この実施の形態２であるトリビュタリ信号伝送システムは、実施の形態１におけるコード抽出部４１に代えてコード抽出部６１を設けている点が実施の形態１の構成と異なる。その他の構成は実施の形態１と同じである。図７において、コード抽出部６１は、実施の形態１におけるコード抽出部４１に対応するが、実施の形態１と異なり、直並列変換部６２を有する。直並列変換部６２は、入力されたトリビュタリ信号Ｓ６−１を並列展開し、並列信号としてのトリビュタリ信号Ｓ６２−１を出力する。
【００４９】
また、コード抽出部６１は、ＳＰシフト制御部６３を有し、ＳＰシフト制御部６３は、分配部２２のシフト数転送部３４から出力されるシフト数Ｓ７を受け付け、このシフト数Ｓ７に対応して直並列変換部６２の直並列変換動作のシフトを行わせる。直並列変換部６２は、図示しない直並列変換カウンタを有し、直並列変換カウンタは、並列展開数分のクロック数で周回する。直並列変換部６２は、入力されるシリアルのトリビュタリ信号Ｓ６−１を、直並列変換カウンタの周期で取り込み、並列展開出力する。ＳＰシフト制御部６３から直並列変換部６２にシフトの指示が入力されると、直並列変換部６２は、このシフト指示に従った直並列変換動作を行う。
【００５０】
一方、フレーム識別部５１は、直並列変換部６２によって並列展開されたトリビュタリ信号Ｓ６２−１内のフレーム識別情報を検出し、フレーム位相の認識を行い、フレーム認識情報確認信号である位相情報Ｓ４１をコード取り出し部５２に出力する。この際、直並列変換部６２は、並列展開されたトリビュタリ信号Ｓ６２−１に同期した並列信号用分周クロックＳＰＣＫを生成し、トリビュタリ信号Ｓ６２−１とともに出力し、フレーム識別部５１は、この並列信号用分周クロックＳＰＣＫを参照してフレーム認識情報確認の処理を行う点が、実施の形態１に示したフレーム識別部５１と異なる。また、コード取り出し部５２は、フレーム識別部５１から出力された位相情報Ｓ４１を参照して、並列展開されたトリビュタリ信号Ｓ６２−１から識別コードＳ５２を抽出する。
【００５１】
ここで、図８を参照して、直並列変換部６２の直並列変換動作と、分配部２２におけるトリビュタリ信号Ｓ６−１の方路切替の実行に伴うトリビュタリ信号Ｓ６１−１のビットずれ補正の処理について説明する。図８において、コード抽出部６１に入力されるトリビュタリ信号Ｓ６−１は、実施の形態１と同じであり、フレーム周期が「ａ」〜「ｈ」の８ビットであり、分配部２２による方路切替の実行以前では、フレーム位相は２ビットずれている。このため、トリビュタリ２０−１のコード抽出部６１に入力されるトリビュタリ信号Ｓ６−１は、トリビュタリ２０−３に入力されるトリビュタリ信号が入力されている。
【００５２】
直並列変換部６２は、並列展開ビット数を「４」として直並列変換し、直並列変換部出力信号としてトリビュタリ信号Ｓ６２−１を出力する。直並列変換部６２の直並列変換カウンタは、１→２→３→４→１→…とする直並列変換カウンタ値ＳＰＣをカウントする。ここで、時刻Ｔにおいて、分配部２２のシフト数制御部３２にシフト数Ｓ３２（シフト数＝２）が入力されると、方路設定部３１がトリビュタリ信号Ｓ６の分配先をシフトさせる。この時刻Ｔにおけるトリビュタリ信号Ｓ６−１は、時刻Ｔ１にコード抽出部６１に入力される。
【００５３】
一方、方路設定部３１に出力されたシフト数Ｓ７は、シフト数転送部３４によってＳＰシフト制御部６３に入力され、シフト数Ｓ７（シフト数＝２）と自トリビュタリ２０−１の番号「１」とからシフト数＝−１を算出し、時刻Ｔ２において、直並列変換カウンタ値ＳＰＣを一つ減じる直並列変換動作のシフトを行う。この直並列変換動作のシフトは、直並列変換カウンタ値ＳＰＣの値「４」を一度カウントせず、直並列変換動作として取り込むビット数を、通常の４ビットから、一時３ビットにする。この結果、カウント周期を１ビット前方にシフトさせる動作が達成される。このシフト動作によって、方路設定部３１によってシフトされ、直並列変換されたトリビュタリ信号Ｓ６２−１内においてフレーム識別情報が収容される「ａ」ビットおよび「ｂ」ビットのビット位置、および並列信号用分周クロックＳＰＣＫを単位とした周期は変化しないため、トリビュタリ信号Ｓ６２−１に対するフレーム同期が補正されたことになり、フレーム識別情報確認は政情に持続され、フレーム同期外れは発生しないことになる。
【００５４】
この実施の形態２によれば、コード抽出部６１が直並列変換動作を行う場合であっても、ＳＰシフト制御部６３がシフト数転送部３４から出力されるシフト数Ｓ７をもとに直並列変換動作をシフトさせる制御を行うようにしているので、実施の形態１と同様に、方路設定部３１によるシフト動作に伴うフレーム同期外れを発生しないようにすることができるとともに、コード抽出部６１は直並列変換動作を行うようにしているので、高速なトリビュタリ信号の伝送を実現することができる。
【００５５】
実施の形態３．
つぎに、この発明の実施の形態３について説明する。この実施の形態３では、実施の形態２と同様に、入力されるトリビュタリ信号を並列展開するもので、方路設定部３１による方路切替のシフト数に応じて、並列展開後におけるトリビュタリ信号のビット位置を入れ替えることによって、この並列展開後におけるトリビュタリ信号内のフレーム識別情報の周期に影響を与えないようにし、フレーム同期が外れないようにするとともに、各位相差識別部４３から位相差判定部３３に出力される位相差情報Ｓ８の送出タイミングを制御することによって、方路切替が実行されるタイミングと、フレーム識別情報が入力されるタイミングとの差を保ち、フレーム同期の保護段数が「１」であっても、フレーム同期が外れないように制御するようにしている。
【００５６】
図９は、この発明の実施の形態３であるトリビュタリ信号伝送システムのコード識別部７１−１の構成を示すブロック図である。この実施の形態３のトリビュタリ信号伝送システムは、実施の形態１に示したトリビュタリ信号伝送システムにおけるコード識別部２１−１に代えてコード識別部７１−１を設けている。その他の構成は実施の形態１，２の構成と同じである。
【００５７】
図９において、コード識別部７１−１は、コード抽出部８１および位相管理部７２を有する。コード抽出部８１の構成は図１０に示すように、実施の形態２と同様にトリビュタリ信号Ｓ６−１を並列展開する直並列変換部６２を有する。ただし、実施の形態２における直並列変換部６２と異なり、ＳＰシフト制御部６３による直並列変換動作のシフトは行われない。コード抽出部８１は、ビットシフト制御部８２を有し、ビットシフト制御部８２は、シフト数転送部３４から入力されるシフト数Ｓ７および自トリビュタリ２０−１の番号をもとに、直並列変換部６２によって並列展開されたトリビュタリ信号Ｓ６３−１のビット順を入れ替え、入れ替えた並列信号をトリビュタリ信号Ｓ６４−１として出力する。
【００５８】
なお、フレーム識別部５１は、ビットシフト制御部８２によってビット順が入れ替えられたトリビュタリ信号Ｓ６４−１のフレーム識別情報をもとにフレーム位相を識別し、識別結果である位相情報Ｓ４１を、コード取り出し部５２および位相管理部７２に出力する。コード取り出し部５２は、位相情報Ｓ４１が示すフレーム位相をもとにトリビュタリ信号Ｓ６４−１内の識別コードを抽出し、各コード一致検出部４２−１〜４２−Ｍに出力する。
【００５９】
ここで、図１１を参照してビットシフト制御部８２の処理動作について説明する。図１１において、直並列変換部６２の並列展開ビット数は「４」であり、入力されるトリビュタリ信号Ｓ６−１のフレーム位相は「ａ」〜「ｈ」の８ビットであり、いずれも実施の形態２と同じである。ここで、ビットシフト制御部８２は、並列展開した４ビットパラレルの直並列変換部出力信号であるトリビュタリ信号Ｓ６３−１を保持するとともに、このトリビュタリ信号Ｓ６３−１を並列信号用分周クロックＳＰＣＫで１クロック分、遅延シフトした信号Ｓ６５−１を生成し、トリビュタリ信号Ｓ６３−１および信号Ｓ６５−１からなる８ビット並列の信号から任意の４ビットを選択出力できるようにする。
【００６０】
時刻Ｔにおいて、方路設定部３１によるシフト数Ｓ３２に対応した方路切替が実行され、方路切替時の信号が時刻Ｔ１でコード抽出部８１に入力される。一方、シフト数Ｓ３２は、シフト数転送部３４を介してシフト数Ｓ７がビットシフト制御部８２に入力され、ビットシフト制御部８２は、このシフト数Ｓ７をもとにビットずれであるシフト数＝−１を認識し、８ビット並列の信号から、１ビット前にシフトされた４ビット並列信号であるトリビュタリ信号Ｓ６４−１を選択出力する。このトリビュタリ信号Ｓ６４−１は、フレーム識別情報のビット位置と、フレーム周期とを変化させていないため、フレーム識別部５１においてフレーム同期が外れることがない。
【００６１】
一方、フレーム識別部５１から出力された位相情報Ｓ４１は、位相管理部７２に入力される。位相管理部７２は、フレーム識別部５１にフレーム識別情報が入力される位相と、分配部２２の方路設定部３１によって方路切替が行われ、トリビュタリ信号のビットずれが発生する位相とを接近させないように、位相差識別部４３から出力される位相差情報Ｓ８−１の送出タイミングを調整したタイミング指示Ｓ７２を位相差識別部４３に出力する。位相差識別部４３は、位相管理部７２から入力されたタイミング指示Ｓ７２のタイミングで位相差情報Ｓ８−１を分配部２２に出力する。
【００６２】
これによって、フレーム同期保護に複数の保護段数が設けられていない場合であっても、フレーム同期外れを回避することができる。すなわち、位相差情報Ｓ８の送出タイミングを調整し、これによって、分配部２２のシフト数制御部３２からのシフト数Ｓ３２の指示タイミングおよびシフト数転送部３４からのシフト数Ｓ７（Ｓ３２）の転送タイミングを調整し、ビットシフト制御によるフレーム同期の補正が、たとえばトリビュタリ信号のフレーム位相の中心付近で行えるように制御する。この結果、フレーム識別部５１がフレーム識別情報確認を行うトリビュタリ信号Ｓ６４−１におけるビットずれ発生の時刻と、ビットシフト制御を実行する時刻との間にフレーム識別情報が存在しないようになる。このビットずれの発生の時刻とは、たとえば、図１１において、ビットシフト制御が実行される時刻Ｔ３の直前の４ビットのトリビュタリ信号Ｓ６３−１内でのビットずれである。これによって、ビットずれの発生に伴ってビット位置がずれたフレーム識別情報によるフレーム識別情報確認が行われず、フレーム同期の補正がなされた後のフレーム識別情報によってフレーム識別情報確認が行われるので、フレーム同期が外れることがなくなる。
【００６３】
なお、上述した位相管理部７２による位相差情報Ｓ８−１の送出タイミング制御は、実施の形態１，２に対しても適用することができる。
【００６４】
この実施の形態３によれば、ビットシフト制御部８２が、直並列変換部６２によって並列展開されたトリビュタリ信号Ｓ６３−１のビット位置の入れ替えを行って方路切替されたトリビュタリ信号に対するフレーム同期外れをなくすようにしている。また、位相管理部７２によって位相差情報Ｓ８１−１の送出タイミングを制御することによって、フレーム同期保護の保護段数が「１」である場合でも、フレーム同期外れをなくすことができる。さらに、この実施の形態３では、実施の形態２と異なり、高速動作する直並列変換部６２に対するシフト制御を行わないため、一層高速なトリビュタリ信号に対する処理を行うことができる。
【００６５】
実施の形態４．
つぎに、この発明の実施の形態４について説明する。この実施の形態４では、分配されるトリビュタリ信号が並列信号であっても、実施の形態２のＳＰシフト制御部６３による直並列変換動作のシフト制御と、実施の形態３のビットシフト制御部８２による並列展開されたトリビュタリ信号に対するビット位置の入れ替え制御とを併用することによって確実にフレーム同期外れをなくし、実施の形態３に比して一層高速のトリビュタリ信号に対する処理を実現できるようにしたものである。
【００６６】
図１２は、この発明の実施の形態４であるトリビュタリ信号伝送システムのコード抽出部９１の構成を示すブロック図である。この実施の形態４におけるコード抽出部９１以外の構成は、実施の形態１〜３の構成と同じであるが、分離部２３によって多重分離された多重分離信号Ｓ５は、それぞれ並列信号として分配部２２に入力され、分配部２２は、この並列信号のままのトリビュタリ信号として各トリビュタリ２０−１〜２０−Ｍに出力する。
【００６７】
図１２において、直並列変換部６２は、入力された並列信号であるトリビュタリ信号Ｓ６−１をさらに並列展開する。その際、実施の形態２と同様に、ＳＰシフト制御部６３がシフト数Ｓ７をもとに直並列展開動作のシフト制御を行う。さらに、ビットシフト制御部８２は、直並列変換部６２およびＳＰシフト制御部６３によって、並列展開され、シフトされたトリビュタリ信号Ｓ６６−１に対して、さらにビット位置の入れ替えを行うビットシフト制御を行い、このビットシフト制御を行ったトリビュタリ信号Ｓ６７−１を出力する。フレーム識別部５１は、ビットシフト制御されたトリビュタリ信号Ｓ６７−１のフレーム識別情報をもとに、フレーム位相を検出し、位相情報Ｓ４１としてコード取り出し部５２に出力する。すなわち、コード抽出部９１では、並列信号であるトリビュタリ信号Ｓ６−１を直並列変換部６２によってさらに並列展開数を広げ、処理速度を落とした信号に対してビットシフト制御を行うようにしている。
【００６８】
ここで、図１３を参照して、コード抽出部９１による処理を説明する。分配部２２に入力され、分配されたトリビュタリ信号Ｓ６−１の並列展開ビット数は「２」であり、フレーム周期は「ａ」〜「ｐ」の１６ビットである。また、フレーム識別情報は、「ａ」および「ｂ」ビットに収容されている。また、直並列変換部６２の並列展開ビット数は「８」である。このため、フレーム識別情報の周期は、並列信号用分周クロックＳＰＣＫで２クロック分となる。
【００６９】
図１３において、方路設定部３１によるビットずれが時刻Ｔ１で発生し、１ビットの欠落が生じている。この後、時刻Ｔ２においてＳＰシフト制御部６３によるＳＰシフト制御が行われ、時刻Ｔ３においてビットシフト制御部８２によるビットシフト制御が行われる。すなわち、ＳＰシフト制御部６３によるＳＰシフト制御を行っても、入力されるトリビュタリ信号Ｓ６−１は、２ビット並列信号であるため、並列ビットに対応して、さらにビットシフト制御部８２によるビットシフト制御によってフレーム識別情報が正常な位置となるようにビット入れ替えを行うようにしている。この結果、フレーム識別部５１に入力される並列信号であるトリビュタリ信号Ｓ６７−１は、方路切替前と同様に、最上位ビットに「ａ」ビットが存在し、フレーム識別情報の周期は狂わず、フレーム同期外れが生じない。
【００７０】
なお、図１３では、フレーム周期を並列信号用分周クロックＳＰＣＫで２クロックと短くしているため、ＳＰシフト制御部６３によるＳＰシフト制御の実行と、ビットシフト制御部８２によるビットシフト制御の実行との間に、一度、フレーム識別情報の不一致（図１３のフレーム識別情報確認信号における破線部分）が生じているが、実際のトリビュタリ信号伝送システムで用いられるトリビュタリ信号のフレーム周期は十分に長いため、このＳＰシフト制御の実行とビットシフト制御の実行とを、フレーム識別情報入力時点から十分余裕のある時点に設定することができる。この設定は、実施の形態３における位相管理部７２を設け、方路切替の実行タイミングを制御すればよい。
【００７１】
この実施の形態４によれば、並列信号として各トリビュタリに入力されるトリビュタリ信号をさらに直並列変換部６２によってさらに並列展開するようにしているので、さらに高速のトリビュタリ信号に対する処理が可能であるとともに、実施の形態１〜３と同様に、フレーム同期外れをなくすことができ、方路切替後であっても正常なトリビュタリ信号を出力することができる。
【００７２】
実施の形態５．
つぎに、この発明の実施の形態５について説明する。この実施の形態５では、送信装置１０側のトリビュタリ１０−１〜１０−Ｍで誤り訂正符号を付加したトリビュタリ信号を生成し、受信装置２０側のトリビュタリ２０−１〜２０−Ｍで各トリビュタリ信号の誤り訂正を行うようにしている。
【００７３】
図１４は、この発明の実施の形態５であるトリビュタリ信号伝送システムの全体構成を示すブロック図である。図１４において、送信装置１０側のトリビュタリ１０−１〜１０−Ｍは、コード付加部１１−１〜１１−Ｍによって識別コードおよびフレーム識別情報が付加されたトリビュタリ信号に誤り訂正符号を付加する誤り訂正符号付加部１００−１〜１００−Ｍを有し、受信装置２０側のトリビュタリ２０−１〜２０−Ｍのコード識別部１２１−１〜１２１−Ｍは、入力されたトリビュタリ信号に付加されている誤り訂正符号を用いてトリビュタリ信号の誤り訂正を行う。その他の構成は、実施の形態１に示したトリビュタリ信号伝送システムと同じ構成である。
【００７４】
図１４において、誤り訂正符号付加部１００−１〜１００−Ｍは、各コード付加部１１−１〜１１−Ｍから出力されたトリビュタリ信号に対して誤り訂正符号をフレームの一定位相に付加し、多重部１２に出力する。たとえば、図１７に示したフレーム構成をもつトリビュタリ信号Ｓ１として多重部１２に出力する。多重部１２に入力され、誤り訂正符号が付加されたトリビュタリ信号Ｓ１は、多重化される。多重部１２によって多重化された多重化信号Ｓ２は、電気光変換部１３によって光信号である伝送信号Ｓ３に変換され、伝送路１を介して受信装置２０に送信される。
【００７５】
受信装置２０に入力された伝送信号Ｓ３は、光電気変換部２４に入力され、電気信号の多重化信号Ｓ４に変換出力される。分離部２３は、多重化信号Ｓ４をＭ個の多重分離信号Ｓ５に多重分離する。分配部２２は、多重分離信号Ｓ５を各トリビュタリ２０−１〜２０−Ｍに対して、それぞれ対応するトリビュタリ信号Ｓ６として分配出力する。コード識別部１２１−１〜１２１−Ｍは、入力されたトリビュタリ信号Ｓ６−１〜Ｓ６−Ｍを出力するとともに、各トリビュタリ信号Ｓ６−１〜Ｓ６−Ｍの識別コードを抽出し、この識別コードと、予め各トリビュタリ２０−１〜２０−Ｍに設定される識別コードとの位相差である位相差情報Ｓ８を分配部２２に出力する。分配部２２は、位相差情報Ｓ８をもとに各多重分離信号Ｓ５をシフトして、各トリビュタリ信号Ｓ６−１〜Ｓ６−Ｍがそれぞれ対応する正規のトリビュタリ２０−１〜２０−Ｍに分配出力されるように制御する。
【００７６】
図１５は、コード識別部１２１−１内のコード抽出部１４１の構成を示すブロック図である。図１５において、フレーム識別部５１には、誤り訂正部１１０に入力されるトリビュタリ信号Ｓ６−１および誤り訂正部１１０から出力され、誤り訂正部１１０によって誤り訂正されたトリビュタリ信号Ｓ６’−１が入力される。フレーム識別部５１は、トリビュタリ信号Ｓ６−１，Ｓ６’−１内のフレーム識別情報を検出し、フレーム位相である位相情報Ｓ４１を誤り訂正部１１０およびコード取り出し部Ｓ５２に出力する。
【００７７】
誤り訂正部１１０は、フレーム識別部５１から入力される位相情報Ｓ４１をもとに、フレーム内の一定位相に付加された誤り訂正符号を抽出し、この抽出した誤り訂正符号を用いて、入力されるトリビュタリ信号Ｓ６−１の誤り訂正処理を行い、誤り訂正したトリビュタリ信号Ｓ６’−１を出力するとともに、コード取り出し部５２に出力する。コード取り出し部５２は、位相情報Ｓ４１をもとに、誤り訂正されたトリビュタリ信号Ｓ６’−１から識別コードＳ５２を抽出して出力する。なお、カウントシフト制御部５３は、実施の形態１で説明したように、シフト数Ｓ７をもとにフレーム識別部５１のフレーム周期カウンタ値ＦＣをシフトさせ、分配部２２による方路切替に伴うフレーム同期外れがないように制御する。
【００７８】
フレーム識別部５１は、フレーム同期が確立している状態では、誤り訂正部１１０から出力され、誤り訂正されたトリビュタリ信号Ｓ６’−１内のフレーム識別情報を用いて、フレーム識別情報の確認動作を行い、位相情報Ｓ４１を出力する。また、フレーム識別部５１は、フレーム同期が確立していない状態では、コード抽出部１４１に入力されるトリビュタリ信号Ｓ６−１内のフレーム識別情報を用いて、フレーム識別情報の確認動作を行い、位相情報Ｓ４１を出力する。
【００７９】
すなわち、実施の形態５では、フレーム識別部５１が、フレーム同期が確立している状態では、誤り訂正部１１０から出力され、誤り訂正されたトリビュタリ信号Ｓ６’−１内のフレーム識別情報を用いて、フレーム識別情報の確認動作を行う点が、実施の形態１と異なる。
【００８０】
この実施の形態５では、伝送路１等における伝送路誤りによるフレーム識別情報の誤りが、誤り訂正部１１０によって訂正されるため、実施の形態１に比して、一層フレーム同期外れが発生し難くなることになる。
【００８１】
なお、フレーム識別部５１は、フレーム同期を確立する過程での保護期間においても、１回目のフレーム識別情報の検出後から、誤り訂正後のトリビュタリ信号Ｓ６’−１内のフレーム識別情報を、フレーム識別情報の確認動作に用いるようにしてもよい。
【００８２】
この実施の形態５によれば、伝送路誤り等が発生している状態であっても、誤り訂正されたトリビュタリ信号を用いることができるので、一層、フレーム同期外れが生じなくなる。
【００８３】
【発明の効果】
以上説明したように、この発明によれば、各コード識別手段のフレーム識別手段が、自トリビュタリに入力されたトリビュタリ信号内のフレーム識別情報をもとにトリビュタリ信号のフレーム周期をカウントしてフレーム位相を識別し、コード抽出手段が、該フレーム位相をもとに、入力されたトリビュタリ信号の識別コードを抽出し、位相差識別手段がこの抽出した識別コードと自トリビュタリの識別コードとの位相差を認識し、該位相差を位相差情報として分配手段に出力する。分配手段の位相差判定手段が、各トリビュタリ信号の現分配状態と各トリビュタリに対応する各トリビュタリ信号の正規分配状態との位相差を前記位相差識別手段からの前記位相差情報をもとに判定し、シフト制御手段が、前記位相差判定手段が判定した位相差に対応するシフト数を求め、各トリビュタリ信号の分配先を該シフト数分、シフトさせる指示を行い、方路設定手段が、前記シフト制御手段の指示によって各トリビュタリ信号の分配先をシフトし、シフト数転送手段が、前記シフト数を前記コード抽出手段に転送し、前記コード抽出手段のカウントシフト制御手段が、前記シフト数転送手段から転送されたシフト数をもとに前記フレーム識別手段がカウントするフレーム周期をシフトさせ、前記方路設定手段が各トリビュタリ信号の分配先をシフトした場合に生じる、各トリビュタリ信号のビットずれによるフレーム同期外れをなくすようにしているので、方路設定手段が各トリビュタリ信号の分配先をシフトさせた場合であっても、シフト後、直ちに正常なトリビュタリ信号を受信することができるという効果を奏する。
【００８４】
つぎの発明によれば、コード抽出手段内の直並列変換手段が、入力されたトリビュタリ信号を並列信号に変換して出力するとともに、フレーム識別手段が、前記直並列変換手段によって並列展開されたトリビュタリ信号内のフレーム識別情報をもとにフレーム周期をカウントしてフレーム位相を識別し、コード抽出手段がこのフレーム位相をもとに、入力されたトリビュタリ信号の識別コードを抽出する。直並列変換シフト手段には、シフト数転送手段からシフト数が転送され、直並列変換シフト手段は、このシフト数をもとに自トリビュタリに入力されるトリビュタリ信号のビットずれを求め、前記直並列変換手段による並列展開動作の周期をシフトさせ、入力されたトリビュタリ信号のビットずれによるフレーム同期外れをなくすようにしているので、方路設定手段が各トリビュタリ信号の分配先をシフトさせた場合であっても、シフト後、直ちに正常なトリビュタリ信号を受信することができるとともに、直並列変換手段によって入力されたトリビュタリ信号を並列信号に変換して出力するようにしているので、高速なトリビュタリ信号に対してもフレーム同期外れをなくすことができ、シフト後、直ちに正常なトリビュタリ信号を受信することができるという効果を奏する。
【００８５】
つぎの発明によれば、前記コード抽出手段内の直並列変換手段が、入力されたトリビュタリ信号を並列信号に変換して出力するとともに、フレーム識別手段が、前記直並列変換手段によって並列展開されたトリビュタリ信号内のフレーム識別情報をもとにフレーム周期をカウントしてフレーム位相を識別し、コード抽出手段がこのフレーム位相をもとに、入力されたトリビュタリ信号の識別コードを抽出する。ビットシフト制御手段には、シフト数転送手段からシフト数が転送され、ビットシフト制御手段は、このシフト数をもとに自トリビュタリに入力されるトリビュタリ信号のビットずれを求め、前記直並列変換手段によって並列展開されたトリビュタリ信号の並列ビット順序をシフトさせ、入力されたトリビュタリ信号のビットずれによるフレーム同期外れをなくすようにしているので、方路設定手段が各トリビュタリ信号の分配先をシフトさせた場合であっても、シフト後、直ちに正常なトリビュタリ信号を高安定性および高信頼性をもって受信することができるとともに、直並列変換手段によって入力されたトリビュタリ信号を並列信号に変換して出力するようにしているので、高速なトリビュタリ信号に対してもフレーム同期外れをなくすことができ、シフト後、直ちに正常なトリビュタリ信号を受信することができるという効果を奏する。
【００８６】
つぎの発明によれば、コード抽出手段内の直並列変換手段が、入力された並列のトリビュタリ信号をさらに並列展開して出力するとともに、フレーム識別手段が、前記直並列変換手段によって並列展開されたトリビュタリ信号内のフレーム識別情報をもとにフレーム周期をカウントしてフレーム位相を識別し、コード抽出手段がこのフレーム位相をもとに、並列展開されたトリビュタリ信号内の識別コードを抽出する。直並列変換シフト手段およびビットシフト制御手段には、シフト数転送手段からシフト数が転送され、直並列変換シフト手段が、このシフト数をもとに前記直並列変換手段による並列展開動作の周期をシフトさせ、前記ビットシフト制御手段が、前記直並列変換手段によって並列展開出力されたトリビュタリ信号の並列ビット順序をシフトさせ、入力された並列のトリビュタリ信号のビットずれによるフレーム同期外れをなくすようにしているので、方路設定手段が各トリビュタリ信号の分配先をシフトさせた場合であっても、シフト後、直ちに正常なトリビュタリ信号を受信することができるとともに、並列のトリビュタリ信号をさらに並列展開するようにしているので、一層、高速なトリビュタリ信号に対してもフレーム同期外れをなくすことができ、シフト後、直ちに正常なトリビュタリ信号を受信することができるという効果を奏する。
【００８７】
この発明によれば、コード識別手段の位相管理手段が、分配手段に出力する位相差情報の出力タイミングを調整する。すなわち、シフト制御手段が方路設定手段にシフト数を指示するタイミングおよびシフト数転送手段がシフト数を転送するタイミングを調整し、入力されたトリビュタリ信号のフレーム位相の中心付近でフレーム周期の補正を行えるようするので、フレーム同期保護の保護段数が「１」であっても、フレーム同期外れが生じないという効果を奏する。
【００８８】
つぎの発明によれば、フレーム識別手段が、フレーム同期の識別が確立している場合、誤り訂正手段によって誤り訂正されたトリビュタリ信号内のフレーム識別情報をもとにフレーム同期の認識を行い、フレーム同期の識別が確立していない場合、誤り訂正手段に入力される誤り訂正前のトリビュタリ信号内のフレーム識別情報をもとにフレーム同期の認識を行うようにしているので、伝送路誤り等が生じた場合であっても、フレーム同期外れを極力生じないようにすることができ、一層、高い安定性と信頼性とをもってトリビュタリ信号を伝送することができるという効果を奏する。
【図面の簡単な説明】
【図１】  この発明の実施の形態１であるトリビュタリ信号伝送システムの全体構成を示すブロック図である。
【図２】  図１に示したトリビュタリ信号伝送システムにおける分配部の構成を示すブロック図である。
【図３】  図１に示したトリビュタリ信号伝送システムにおけるコード識別部の構成を示すブロック図である。
【図４】  図３に示したコード識別部内のコード抽出部の構成を示すブロック図である。
【図５】  図２に示した方路設定部によるトリビュタリ信号のシフト処理を示すタイミングチャートである。
【図６】  図４に示したカウントシフト制御部によるフレーム同期の補正処理を示すタイミングチャートである。
【図７】  この発明の実施の形態２であるトリビュタリ信号伝送システムにおけるコード抽出部の構成を示すブロック図である。
【図８】  図６に示したＳＰシフト制御部によるフレーム同期の補正処理を示すタイミングチャートである。
【図９】  この発明の実施の形態３であるトリビュタリ信号伝送システムにおけるコード識別部の構成を示すブロック図である。
【図１０】  図９に示したコード抽出部の構成を示すブロック図である。
【図１１】  図１０に示したビットシフト制御部によるフレーム同期の補正処理を示すタイミングチャートである。
【図１２】  この発明の実施の形態４であるトリビュタリ信号伝送システムにおけるコード識別部の構成を示すブロック図である。
【図１３】  図１２に示したＳＰシフト制御部およびビットシフト制御部によるフレーム同期の補正処理を示すタイミングチャートである。
【図１４】  この発明の実施の形態５であるトリビュタリ信号伝送システムの全体構成を示すブロック図である。
【図１５】  図１４に示したコード識別部内のコード抽出部の構成を示すブロック図である。
【図１６】  従来におけるトリビュタリ信号伝送システムの全体構成を示すブロック図である。
【図１７】  図１６に示したトリビュタリ信号伝送システムが用いる各トリビュタリ信号のフレームフォーマットを示す図である。
【図１８】  分配部によるトリビュタリ信号の分配制御を行う従来のトリビュタリ信号伝送システムの全体構成を示すブロック図である。
【図１９】  図１８に示したコード識別部の構成を示すブロック図である。
【図２０】  図１９に示したコード抽出部の構成を示すブロック図である。
【図２１】  図１８に示した分配部の構成を示すブロック図である。
【図２２】  図１８に示した分配部によるトリビュタリ信号の分配制御を示すタイミングチャートである。
【符号の説明】
１  伝送路、１０  送信装置、１０−１〜１０−Ｍ，２０−１〜２０−Ｍ  トリビュタリ、１１−１〜１１−Ｍ  コード付加部、１２  多重部、１３  電気光変換部、２１−１〜２１−Ｍ，１２１−１〜１２１−Ｍ  コード識別部、２２  分配部、２３  分離部、２４  光電気変換部、３１  方路設定部、３２  シフト数制御部、３３  位相差判定部、３４  シフト数転送部、４１，６１，８１，９１，１４１  コード抽出部、４２−１〜４２−Ｍ  コード一致検出部、４３  位相差識別部、５１  フレーム識別部、５２  コード取り出し部、５３  カウントシフト制御部、６２  直並列変換部、６３  ＳＰシフト制御部、７２  位相管理部、８２  ビットシフト制御部、１００−１〜１００−Ｍ  誤り訂正符号付加部、１１０  誤り訂正部、Ｓ１，Ｓ６  トリビュタリ信号、Ｓ２，Ｓ４  多重化信号、Ｓ３  伝送信号、Ｓ５  多重分離信号、Ｓ７，Ｓ３２  シフト数、Ｓ８  位相差情報、Ｓ３１  判定位相差、Ｓ５２  識別コード、Ｓ４１  位相情報。
【図１】
0003820073.tif 000002
【図２】
0003820073.tif 000003
【図３】
0003820073.tif 000004
【図４】
0003820073.tif 000005
【図５】
0003820073.tif 000006
【図６】
0003820073.tif 000007
【図７】
0003820073.tif 000008
【図８】
0003820073.tif 000009
【図９】
0003820073.tif 000010
【図１０】
0003820073.tif 000011
【図１１】
0003820073.tif 000012
【図１２】
0003820073.tif 000013
【図１３】
0003820073.tif 000014
【図１４】
0003820073.tif 000015
【図１５】
0003820073.tif 000016
【図１６】
0003820073.tif 000017
【図１７】
0003820073.tif 000018
【図１８】
0003820073.tif 000019
【図１９】
0003820073.tif 000020
【図２０】
0003820073.tif 000021
【図２１】
0003820073.tif 000022
【図２２】
0003820073.tif 000023